(57)【要約】【課題】ユーザが複数のオブジェクトデータを２回入力するような手間を省くことができる表示システムなどを提供する。【解決手段】ペン（１００）は、複数のオブジェクトデータ（Ｄ１０、Ｄ１２、Ｄ２０、Ｄ２２）を記憶し、制御装置（２００Ｂ）は、ペン（１００）によるペースト操作に応じて、ペン（１００）に記憶されている複数のオブジェクトデータ（Ｄ１０、Ｄ１２、Ｄ２０、Ｄ２２）をタッチパネルディスプレイ装置（３００Ｂ）の第１の表示領域（Ｗ１０）にサムネイル表示する。制御装置（２００Ｂ）は、ペン（１００）による選択操作に応じて、サムネイル表示された複数のオブジェクトデータ（Ｄ１０、Ｄ１２、Ｄ２０、Ｄ２２）のうちの、選択されたオブジェクトデータ（Ｄ１２）をタッチパネルディスプレイ装置（３００Ｂ）の第２の表示領域（Ｗ２０）に表示する。【選択図】図１２
2017215945.tif 000002
【特許請求の範囲】
【請求項１】
表示装置を制御する制御部と、前記制御部と通信可能な入力装置と、を有する表示システムであって、
前記入力装置は、
オブジェクトデータを記憶する記憶部と、
前記制御部からのオブジェクトデータ要求に応じて、前記記憶部に記憶されている前記オブジェクトデータを前記制御部に送信する送信部と、
を備え、
前記制御部は、
前記入力装置によるペースト操作に応じて、前記オブジェクトデータ要求を前記入力装置に送信し、
前記入力装置から前記オブジェクトデータを受信して前記表示装置の第１の表示領域にサムネイル表示し、
前記入力装置による選択操作に応じて、前記第１の表示領域にサムネイル表示された前記オブジェクトデータのうちの、選択されたオブジェクトデータを前記表示装置の第２の表示領域に表示する、
ことを特徴とする表示システム。
【請求項２】
前記ペースト操作は、前記表示装置に表示されたペーストボタンの操作、特定のジェスチャー操作、前記入力装置に設けられたペーストボタンの操作の何れかの操作であることを特徴とする請求項１に記載の表示システム。
【請求項３】
前記選択操作は、前記選択されたオブジェクトデータを前記表示装置の前記第１の表示領域から前記第２の表示領域に移動させて配置する操作であることを特徴とする請求項１又は２に記載の表示システム。
【請求項４】
前記制御部は、
前記選択操作に応じて、前記表示装置に表示されている少なくとも１つのオブジェクトデータを取得し、
前記入力装置によるコピー操作に応じて、前記少なくとも１つのオブジェクトデータを前記入力装置に送信し、
前記入力装置は、前記表示装置から送信されたオブジェクトデータを前記記憶部に記憶することを特徴とする請求項１に記載の表示システム。
【請求項５】
前記第１、２の表示領域には、前記コピー操作を行なうためのコピーボタンと、前記ペースト操作を行なうためのペーストボタンとが表示され、
前記コピー操作、前記ペースト操作は、それぞれ、前記コピーボタンの操作、前記ペーストボタンの操作であることを特徴とする請求項４に記載の表示システム。
【請求項６】
前記コピー操作、前記ペースト操作は、各々異なる特定のジェスチャー操作であることを特徴とする請求項４に記載の表示システム。
【請求項７】
前記入力装置は、
前記コピー操作を行なうためのコピーボタンと、
前記ペースト操作を行なうためのペーストボタンと
を更に備え、
前記コピー操作、前記ペースト操作は、それぞれ、前記コピーボタンの操作、前記ペーストボタンの操作であることを特徴とする請求項４に記載の表示システム。
【請求項８】
前記制御部は、ユーザにより前記表示装置がタッチされているときに、前記選択操作が行なわれた場合、前記少なくとも１つのオブジェクトデータを取得することを特徴とする請求項４に記載の表示システム。
【請求項９】
前記入力装置の前記記憶部は、属性を表す属性情報と共に、前記オブジェクトデータを記憶することを特徴とする請求項１から８のいずれか一項に記載の表示システム。
【請求項１０】
前記制御部は、前記ペースト操作に応じて、前記オブジェクトデータと前記属性情報とを要求するために前記オブジェクトデータ要求を前記入力装置に送信し、前記入力装置からの前記オブジェクトデータを前記属性情報に対応付けて前記表示装置の前記第１の表示領域にサムネイル表示することを特徴とする請求項９に記載の表示システム。
【請求項１１】
前記制御部は、前記選択されたオブジェクトデータを前記表示装置の前記第２の表示領域に表示したとき、前記表示装置の前記第１の表示領域にサムネイル表示された前記オブジェクトデータの中から、前記選択されたオブジェクトデータを削除することを特徴とする請求項１から１０のいずれか一項に記載の表示システム。
【請求項１２】
前記制御部は、
前記表示装置の第２の表示領域にコンテンツデータを表示し、
前記選択されたオブジェクトデータを、前記第２の表示領域に表示されたコンテンツデータに移動させて配置することで、前記コンテンツデータに、前記選択されたオブジェクトデータをペーストすることができる請求項１から１１の何れか一項に記載の表示システム。
【請求項１３】
前記制御部は、
前記表示装置の第２の表示領域に、前記オブジェクトデータが含まれたコンテンツデータを表示し、
選択操作に応じて、前記コンテンツデータに表示されている少なくとも１つのオブジェクトデータを取得し、
前記入力装置によるコピー操作に応じて、前記少なくとも１つのオブジェクトデータを前記入力装置に送信し、
前記入力装置は、前記表示装置から送信されたオブジェクトデータを前記記憶部に記憶することを特徴とする請求項１から１１の何れか一項に記載の表示システム。
【請求項１４】
表示装置を制御するサーバと、前記サーバと通信可能な入力装置と、を備える表示システムであって、
前記入力装置は、
複数のオブジェクトデータをそれぞれ識別するための複数の識別情報を記憶する記憶部と、
前記サーバからのオブジェクトデータ要求に応じて、前記入力装置の記憶部に記憶されている前記複数の識別情報を前記サーバに送信する送信部と、
を備え、
前記サーバは、
前記複数のオブジェクトデータを記憶する記憶部と、
前記入力装置によるペースト操作に応じて、識別情報要求を前記入力装置に送信し、前記入力装置からの前記複数の識別情報にそれぞれ対応する前記複数のオブジェクトデータを前記表示装置の第１の表示領域にサムネイル表示し、
前記入力装置による選択操作に応じて、前記第１の表示領域にサムネイル表示された前記複数のオブジェクトデータのうちの、選択されたオブジェクトデータを前記表示装置の第２の表示領域に表示することを特徴とする表示システム。
【請求項１５】
請求項１から１４のいずれか一項に記載の表示システムに使用されることを特徴とする入力装置。
【請求項１６】
オブジェクトデータを記憶する記憶部を有する入力装置と通信可能な表示装置であって、
前記入力装置によるペースト操作に応じて、オブジェクトデータ要求を、当該入力装置に送信する送信手段と、
前記入力装置がオブジェクトデータ要求に応答して送信したオブジェクトデータを受信する受信手段と、
前記受信されたオブジェクトデータを、第１の表示領域にサムネイル表示するサムネイル表示手段と、
前記サムネイル表示されたオブジェクトデータの中から、前記入力装置による選択操作より選択されたオブジェクトデータを、第２の表示領域に表示するオブジェクトデータ表示手段と、
を備えることを特徴とする表示装置。
【請求項１７】
前記表示装置は、複数の入力装置と通信可能であって、
前記第２の表示領域に表示されたオブジェクトデータの中からオブジェクトデータを選択するオブジェクトデータ選択手段と、
前記オブジェクトデータ選択手段により選択されたオブジェクトデータを、当該オブジェクトデータが記憶されている入力装置とは異なる入力装置に送信するオブジェクトデータ送信手段と、
を備えることを特徴とする請求項１６に記載の表示装置。
【請求項１８】
オブジェクトデータを記憶する記憶部を有する入力装置と通信可能な表示装置における表示方法であって、
前記入力装置によるペースト操作に応じて、オブジェクトデータ要求を、当該入力装置に送信する送信ステップと、
前記入力装置がオブジェクトデータ要求に応答して送信したオブジェクトデータを受信する受信ステップと、
前記受信されたオブジェクトデータを、第１の表示領域にサムネイル表示するサムネイル表示ステップと、
前記サムネイル表示されたオブジェクトデータの中から、前記入力装置による選択操作より選択されたオブジェクトデータを、第２の表示領域に表示するオブジェクトデータ表示ステップと、
を含むことを特徴とする表示装置における表示方法。
【請求項１９】
オブジェクトデータを記憶する記憶部を有する入力装置と通信可能なコンピュータにおいて実行されるプログラムであって、
前記コンピュータに、
前記入力装置によるペースト操作に応じて、オブジェクトデータ要求を、当該入力装置に送信する送信機能と、
前記入力装置がオブジェクトデータ要求に応答して送信したオブジェクトデータを受信する受信機能と、
前記受信されたオブジェクトデータを、第１の表示領域にサムネイル表示するサムネイル表示機能と、
前記サムネイル表示されたオブジェクトデータの中から、前記入力装置による選択操作より選択されたオブジェクトデータを、第２の表示領域に表示するオブジェクトデータ表示機能と、
を実行させることを特徴とするプログラム。
【発明の詳細な説明】
【技術分野】
【０００１】
本発明は、表示装置を制御する制御部と、前記制御部と通信可能な入力装置と、を有する表示システム等に関する。
【背景技術】
【０００２】
近年、教室やオフィスでは、インタラクティブ・ホワイトボード（Interactive Whiteboard）（通称：ＩＷＢ）を含む電子黒板が使用されている。ユーザ（例えば、教室の場合は先生）が、教室の電子黒板に対して、ペンによりテキスト（文字、数字など）や図形（グラフ、表など）などのオブジェクトデータを入力したとき、そのオブジェクトデータが上記電子黒板に表示される。ユーザは、その教室の電子黒板に表示されたオブジェクトデータを用いて、周囲の視聴者（例えば、教室の場合は生徒）に対して授業を行なうことができる。
【０００３】
しかし、教室が２つある場合、ユーザは、２つの教室の電子黒板に対して、同じ授業内容のオブジェクトデータを入力しなければならない。例えば、ユーザは、第１の教室の電子黒板（第１の電子黒板）に対してオブジェクトデータを入力して、第１の電子黒板に表示されたオブジェクトデータを用いて授業を行なう。ユーザは、第２の教室でも同じ授業を行なう場合、第１の教室から第２の教室に移動する。この場合、ユーザは、第２の教室の電子黒板（第２の電子黒板）に対して、第１の電子黒板に入力したオブジェクトデータと同様のオブジェクトデータを入力する必要がある。
【０００４】
そこで、第１の電子黒板に表示されたオブジェクトデータを、第２の電子黒板に表示できることが望まれる。しかし、電子黒板に表示されたオブジェクトデータを保存する場合、電子黒板の画面全体を保存する必要がある。このため、以下のような手間がかかる。
【０００５】
例えば、第１の電子黒板に表示されたオブジェクトデータを、第２の電子黒板に表示するためには、ユーザは、第１の電子黒板の画面全体を、例えばＵＳＢ（Universal Serial Bus）メモリに保存し、ＵＳＢメモリに保存された第１の電子黒板の画面全体を第２の電子黒板に表示させる必要がある。あるいは、ユーザは、第１の電子黒板と第２の電子黒板とをＬＡＮ（Local Area Network）で接続する必要がある。更に、保存したいデータは、電子黒板の画面全体ではなく、電子黒板に表示されたオブジェクトデータであることが多い。
【０００６】
そこで、ユーザが同じ内容（オブジェクトデータ）を２回入力するような手間を省くことが望まれる。例えば、特許文献１には、第１の表示装置に表示されたオブジェクトデータをペンに保存（記憶）し、ペンに保存されたオブジェクトデータを第２の表示装置に表示する情報処理装置が開示されている。
【０００７】
特許文献１に記載の情報処理装置は、第１、第２の表示装置（タッチパネルディスプレイ装置）と、第１、第２のパーソナルコンピュータ（以下、ＰＣ）と、第１、第２のＰＣと通信可能なペンとを具備している。ペンは、オブジェクトデータの吸い上げを指示する第１のスイッチと、オブジェクトデータのはき出しを指示する第２のスイッチと、記憶部とを備えている。まず、第１のＰＣは、複数のオブジェクトデータを第１の表示装置に表示する。第１の表示装置に表示されている複数のオブジェクトデータのうちの１つのオブジェクトデータ上にユーザがペンを押し当ててペンの第１のスイッチを操作した場合、ペンは、上記１つのオブジェクトデータを自身の記憶部に保存（記憶）し、第１のＰＣは、第１の表示装置に表示されている上記１つのオブジェクトデータを消去する。次に、ユーザが第２の表示装置上にペンを押し当ててペンの第２のスイッチを操作した場合、ペンは、自身の記憶部に保存された１つのオブジェクトデータを出力し、第２のＰＣは、そのオブジェクトデータを第２の表示装置に表示する。
【先行技術文献】
【特許文献】
【０００８】
【特許文献１】特許第４０７４９８２号公報
【発明の概要】
【発明が解決しようとする課題】
【０００９】
特許文献１に記載された技術では、第１の表示装置に表示されている複数のオブジェクトデータのうちの１つのオブジェクトデータをペンに保存（記憶）し、ペンに保存された１つのオブジェクトデータを第２の表示装置に表示している。例えば、第１の表示装置には、文字や数式を表すオブジェクトデータが表示されていたり、文字やグラフを表すオブジェクトデータが表示されていたりする。しかし、特許文献１に記載された技術では、ユーザがペンに保存（記憶）できるのは、第１の表示装置に表示されている複数のオブジェクトデータのうちの１つのオブジェクトデータのみである。
【００１０】
具体的には、特許文献１に記載された技術では、電子黒板の場合と同様に、ユーザは、２つの教室の表示装置に対して、同じ授業内容のオブジェクトデータを入力しなければならない。例えば、ユーザは、第１の教室の表示装置（第１の表示装置）に対して複数のオブジェクトデータを入力して、第１の表示装置に表示された複数のオブジェクトデータを用いて授業を行なう。しかし、ユーザは、第１の教室から第２の教室に移動して、第２の教室でも同じ授業を行ないたい場合、第１の表示装置に表示されている複数のオブジェクトデータを１回の移動で第２の表示装置に表示することができない。
【００１１】
本発明は、上記従来の問題点に鑑みてなされたものであって、入力装置を利用してオブジェクトデータを容易に入力することができる表示システム等を提供することを目的とする。
【課題を解決するための手段】
【００１２】
本発明の表示システムは、
表示装置を制御する制御部と、前記制御部と通信可能な入力装置と、を有する表示システムであって、
前記入力装置は、
オブジェクトデータを記憶する記憶部と、
前記制御部からのオブジェクトデータ要求に応じて、前記記憶部に記憶されている前記オブジェクトデータを前記制御部に送信する送信部と、
を備え、
前記制御部は、
前記入力装置によるペースト操作に応じて、前記オブジェクトデータ要求を前記入力装置に送信し、
前記入力装置から前記オブジェクトデータを受信して前記表示装置の第１の表示領域にサムネイル表示し、
前記入力装置による選択操作に応じて、前記第１の表示領域にサムネイル表示された前記オブジェクトデータのうちの、選択されたオブジェクトデータを前記表示装置の第２の表示領域に表示する、
ことを特徴とする。
【００１３】
本発明の表示システムは、
表示装置を制御するサーバと、前記サーバと通信可能な入力装置と、を備える表示システムであって、
前記入力装置は、
複数のオブジェクトデータをそれぞれ識別するための複数の識別情報を記憶する記憶部と、
前記サーバからのオブジェクトデータ要求に応じて、前記入力装置の記憶部に記憶されている前記複数の識別情報を前記サーバに送信する送信部と、
を備え、
前記サーバは、
前記複数のオブジェクトデータを記憶する記憶部と、
前記入力装置によるペースト操作に応じて、識別情報要求を前記入力装置に送信し、前記入力装置からの前記複数の識別情報にそれぞれ対応する前記複数のオブジェクトデータを前記表示装置の第１の表示領域にサムネイル表示し、
前記入力装置による選択操作に応じて、前記第１の表示領域にサムネイル表示された前記複数のオブジェクトデータのうちの、選択されたオブジェクトデータを前記表示装置の第２の表示領域に表示することを特徴とする。
【００１４】
本発明の表示装置は、
オブジェクトデータを記憶する記憶部を有する入力装置と通信可能な表示装置であって、
前記入力装置によるペースト操作に応じて、オブジェクトデータ要求を、当該入力装置に送信する送信手段と、
前記入力装置がオブジェクトデータ要求に応答して送信したオブジェクトデータを受信する受信手段と、
前記受信されたオブジェクトデータを、第１の表示領域にサムネイル表示するサムネイル表示手段と、
前記サムネイル表示されたオブジェクトデータの中から、前記入力装置による選択操作より選択されたオブジェクトデータを、第２の表示領域に表示するオブジェクトデータ表示手段と、
を備えることを特徴とする。
【００１５】
本発明の表示方法は、
オブジェクトデータを記憶する記憶部を有する入力装置と通信可能な表示装置における表示方法であって、
前記入力装置によるペースト操作に応じて、オブジェクトデータ要求を、当該入力装置に送信する送信ステップと、
前記入力装置がオブジェクトデータ要求に応答して送信したオブジェクトデータを受信する受信ステップと、
前記受信されたオブジェクトデータを、第１の表示領域にサムネイル表示するサムネイル表示ステップと、
前記サムネイル表示されたオブジェクトデータの中から、前記入力装置による選択操作より選択されたオブジェクトデータを、第２の表示領域に表示するオブジェクトデータ表示ステップと、
を含むことを特徴とする。
【００１６】
本発明のプログラムは、
オブジェクトデータを記憶する記憶部を有する入力装置と通信可能なコンピュータにおいて実行されるプログラムであって、
前記コンピュータに、
前記入力装置によるペースト操作に応じて、オブジェクトデータ要求を、当該入力装置に送信する送信機能と、
前記入力装置がオブジェクトデータ要求に応答して送信したオブジェクトデータを受信する受信機能と、
前記受信されたオブジェクトデータを、第１の表示領域にサムネイル表示するサムネイル表示機能と、
前記サムネイル表示されたオブジェクトデータの中から、前記入力装置による選択操作より選択されたオブジェクトデータを、第２の表示領域に表示するオブジェクトデータ表示機能と、
を実行させることを特徴とする。
【発明の効果】
【００１７】
このように、本発明では、オブジェクトデータをペンに保存（記憶）し、ペンに保存されたオブジェクトデータを選択的に表示装置に表示するため、ユーザが容易にオブジェクトデータを入力することができるようになる。
【図面の簡単な説明】
【００１８】
【図１】第１実施形態に係る表示システムの概略を説明するための図である。
【図２】第１実施形態に係る表示システムのタッチパネルディスプレイ装置の機能構成を示すブロック図である。
【図３】第１実施形態に係る表示システムの制御装置の機能構成を示すブロック図である。
【図４】第１実施形態に係る表示システムのペンの機能構成を示すブロック図である。
【図５】第１実施形態に係る表示システムの動作として、コピー処理を示すフローチャートである。
【図６】第１実施形態に係る表示システムの動作として、ペースト処理を示すフローチャートである。
【図７】第１実施形態に係る表示システムの動作として、タッチパネルディスプレイ装置に表示される表示画面の一例である。
【図８】第１実施形態に係る表示システムの動作として、タッチパネルディスプレイ装置に表示される表示画面の一例である。
【図９】第１実施形態に係る表示システムの動作として、タッチパネルディスプレイ装置に表示される表示画面の一例である。
【図１０】第１実施形態に係る表示システムの動作として、タッチパネルディスプレイ装置に表示される表示画面の一例である。
【図１１】第１実施形態に係る表示システムの動作として、タッチパネルディスプレイ装置に表示される表示画面の一例である。
【図１２】第１実施形態に係る表示システムの動作として、タッチパネルディスプレイ装置に表示される表示画面の一例である。
【図１３】第２実施形態に係る表示システムの概略を説明するための図である。
【図１４】第３実施形態に係る表示システムの動作として、コピー処理を示すフローチャートである。
【図１５】第３実施形態に係る表示システムの動作として、ペースト処理を示すフローチャートである。
【図１６】第４実施形態に係る表示システムの動作として、コピー処理を示すフローチャートである。
【図１７】第５実施形態に係る表示システムのペンの機能構成を示すブロック図である。
【図１８】第６実施形態に係る表示システムのペンの記憶部の記憶内容を説明するための図である。
【図１９】第７実施形態に係る表示システムのペンの記憶部の記憶内容を説明するための図である。
【図２０】第７実施形態に係る表示システムのペンの記憶部の記憶内容を説明するための図である。
【図２１】第７実施形態に係る表示システムの動作として、タッチパネルディスプレイ装置に表示される表示画面の一例である。
【図２２】第８実施形態に係る表示システムの動作として、タッチパネルディスプレイ装置に表示される表示画面の一例である。
【図２３】第８実施形態に係る表示システムの動作として、タッチパネルディスプレイ装置に表示される表示画面の一例である。
【図２４】第９実施形態に係る表示システムの動作として、タッチパネルディスプレイ装置に表示される表示画面の一例である。
【図２５】第１３実施形態に係る表示システムの概略を説明するための図である。
【図２６】第１３実施形態に係る表示システムのサーバの機能構成を示すブロック図である。
【図２７】第１３実施形態に係る表示システムの動作として、コピー処理を示すフローチャートである。
【図２８】第１３実施形態に係る表示システムの動作として、ペースト処理を示すフローチャートである。
【図２９】第１４実施形態に係る表示システムの動作として、ペースト処理を示すフローチャートである。
【図３０】第１４実施形態に係る表示システムの動作として、タッチパネルディスプレイ装置に表示される表示画面の一例である。
【図３１】第１４実施形態に係る表示システムの動作として、タッチパネルディスプレイ装置に表示される表示画面の一例である。
【図３２】第１５実施形態に係る表示システムの動作として、タッチパネルディスプレイ装置に表示される表示画面の一例である。
【図３３】第１５実施形態に係る表示システムの動作として、タッチパネルディスプレイ装置に表示される表示画面の一例である。
【図３４】第１５実施形態に係る表示システムの動作として、タッチパネルディスプレイ装置に表示される表示画面の一例である。
【発明を実施するための形態】
【００１９】
以下に、本発明の実施の形態について、図を参照しながら詳細に説明する。以下の説明では、本発明の表示システムを例に説明する。なお、本実施形態は、本発明を説明するための一例であり、実施形態の内容に限定されないことは勿論である。
【００２０】
［１．  第１実施形態］
まず、第１実施形態について説明する。第１実施形態では、表示装置に表示された複数のオブジェクトデータを入力装置（入力デバイス）の一例としてペンに保存（記憶）し、ペンに保存された複数のオブジェクトデータのうちの、選択されたオブジェクトデータを表示装置に表示する。複数のオブジェクトデータの各々は、テキスト（文字、数字など）や図形（グラフ、表など）を表すデータである。
【００２１】
［１．１  全体構成］
まず、全体構成について図１を参照して説明する。図１は、第１実施形態に係る表示システムの概略を説明するための図である。表示システムは、入力装置であるペン１００と、制御装置２００と、タッチパネルディスプレイ装置３００と、を具備している。制御装置２００、タッチパネルディスプレイ装置３００は、単一でもよいし、複数でもよい。以降、制御装置２００、タッチパネルディスプレイ装置３００は、複数設けられているものとする。
【００２２】
複数のタッチパネルディスプレイ装置３００は、電子黒板やＩＷＢとして使用される。例えば、図１では、複数のタッチパネルディスプレイ装置３００として、タッチパネルディスプレイ装置３００Ａ、３００Ｂがそれぞれ教室ＲＡ、ＲＢに設置されている。
【００２３】
複数の制御装置２００は、それぞれ、複数のタッチパネルディスプレイ装置３００を制御する。例えば、図１では、教室ＲＡにおいて、タッチパネルディスプレイ装置３００Ａには制御装置２００Ａが接続されている。教室ＲＢにおいて、タッチパネルディスプレイ装置３００Ｂには制御装置２００Ｂが接続されている。
【００２４】
ペン１００は、複数のタッチパネルディスプレイ装置３００に対して、タッチペンとして使用される入力装置である。ペン１００は、教室ＲＡまたは教室ＲＢで使用される。第１実施形態では、ユーザは、ペン１００を使用して、コピー処理と、ペースト処理とを行なう。なお、本実施形態ではペンと表現しているが、タッチ操作や、描画操作が出来る装置であれば、同様の装置についても適用出来ることは勿論である。
【００２５】
コピー処理では、ユーザは、教室ＲＡでペン１００を使用して、複数のオブジェクトデータをタッチパネルディスプレイ装置３００Ａに描画（入力）し、制御装置２００Ａは、ペン１００によるコピー操作（後述）に応じて、そのタッチパネルディスプレイ装置３００Ａに表示された複数のオブジェクトデータをペン１００に保存（記憶）する。
【００２６】
ペースト処理では、ユーザは、教室ＲＡから教室ＲＢに移動し（１点鎖線を参照）、制御装置２００Ｂは、ペン１００によるペースト操作（後述）や選択操作（後述）に応じて、ペン１００に保存された複数のオブジェクトデータのうちの、選択されたオブジェクトデータをタッチパネルディスプレイ装置３００Ｂに表示する。
【００２７】
［１．２  機能構成］
続いて、各装置の機能構成について図を参照して説明する。
【００２８】
［１．２．１  タッチパネルディスプレイ装置３００］
図２は、第１実施形態に係る表示システムのタッチパネルディスプレイ装置３００の機能構成を示すブロック図である。図２に示すように、タッチパネルディスプレイ装置３００は、表示部３１０と、入力検知部３２０とを備えている。
【００２９】
表示部３１０は、液晶ディスプレイ（ＬＣＤ；Liquid Crystal Display）である。その表示部３１０は、地面に対して垂直あるいは垂直に近い状態で設置される。または、テーブルのように、地面に対して水平或いは水平に近い状態で設置される。
【００３０】
入力検知部３２０は、タッチパネルである。例えば、入力検知部３２０は、座標を形成するように、表示部３１０にマトリクス状に配置された静電容量センサを備えている。静電容量センサは、ユーザが指示媒体（ペン１００またはユーザの指先）を用いて表示部３１０に対して入力操作を行なったときに、表示部３１０に対するユーザの入力を検出することができる。
【００３１】
なお、本明細書では、タッチパネルディスプレイ装置を例に説明するが、ユーザの入力を検出し、表示することが可能な表示システムであれば同様の装置・システムであっても良い。例えば、テーブルや壁に照射する装置（例えば、プロジェクタ装置）と、入力を検出する装置とを組み合わせて実現しても良い。
【００３２】
［１．２．２  制御装置２００］
図３は、第１実施形態に係る表示システムの制御装置２００の機能構成を示すブロック図である。図３に示すように、制御装置２００は、制御部２１０と、記憶部２２０と、通信部２３０とを備えている。
【００３３】
制御部２１０は、制御装置２００の全体を制御するための機能部である。制御部２１０は、記憶部２２０に記憶されている各種プログラムを読み出して実行することにより各種機能を実現しており、例えばＣＰＵ（Central Processing Unit）等により構成されている。
【００３４】
記憶部２２０は、制御装置２００の動作に必要な各種プログラムや、各種データが記憶されている機能部である。記憶部２２０は、例えば、半導体メモリや、ＨＤＤ（Hard Disk Drive）等により構成されている。
【００３５】
通信部２３０は、制御装置２００が、ペン１００と通信を行うための機能部である。例えば、通信部２３０の通信方式として、有線／無線ＬＡＮで利用されるＮＩＣ（Network Interface Card）や、３Ｇ／ＬＴＥ回線に接続可能な通信モジュールにより実現されている。また、通信部２３０の通信方式として、Ｂｌｕｅｔｏｏｔｈ（登録商標）や、ＺｉｇＢｅｅのような近距離無線通信を利用してもよい。
【００３６】
［１．２．３  ペン１００］
図４は、第１実施形態に係る表示システムのペン１００の機能構成を示すブロック図である。図４に示すように、ペン１００は、制御部１１０（ペン制御部）と、記憶部１２０と、通信部１３０とを備えている。
【００３７】
制御部１１０は、ペン１００の全体を制御するための機能部である。制御部１１０は、記憶部１２０に記憶されている各種プログラムを読み出して実行することにより各種機能を実現しており、例えばＣＰＵ等により構成されている。
【００３８】
記憶部１２０は、ペン１００の動作に必要な各種プログラムや、各種データが記憶されている機能部である。記憶部１２０は、例えば、半導体メモリ等により構成されている。なお、記憶部１２０としては、例えば、ペン１００に外部記憶装置（例えば、マイクロＳＤカードや、ＵＳＢメモリ等）を装着することにより実現しても良い。また、ネットワークを介したストレージを記憶部として実現してもよい。例えば、スマートフォン等の端末装置と、近距離無線通信で接続を行うことにより、記憶部として実現してもよい。
【００３９】
通信部１３０は、ペン１００が、制御装置２００と通信を行うための機能部である。通信部１３０の通信方式として、制御装置２００の通信部２３０の通信方式と同じである。また、タッチパネルディスプレイ装置と通信を行っても良い。
【００４０】
［１．３  処理の流れ］
続いて、本実施形態における処理の流れについて、図を参照して説明する。
【００４１】
［１．３．１  コピー処理］
図５は、第１実施形態に係る表示システムの動作として、コピー処理を示すフローチャートである。ユーザは、教室ＲＡでペン１００を使用することによりコピー処理を行なう。
【００４２】
まず、ユーザは、複数のオブジェクトデータをタッチパネルディスプレイ装置３００Ａに描画（入力）する。次に、ユーザは、ペン１００による第１の選択操作を行なう。ペン１００による第１の選択操作は、タッチパネルディスプレイ装置３００Ａに表示されている少なくとも１つのオブジェクトデータをペン１００により曲線で囲む操作である（ステップＳ１００）。
【００４３】
このとき、制御装置２００Ａの制御部２１０は、ペン１００による第１の選択操作に応じて、タッチパネルディスプレイ装置３００Ａに表示されている少なくとも１つのオブジェクトデータを取得する（ステップＳ１０２）。制御装置２００Ａの制御部２１０は、上記少なくとも１つのオブジェクトデータを記憶部２２０に一時保存する（ステップＳ１０４）。
【００４４】
次に、ユーザは、ペン１００によるコピー操作を行なう（ステップＳ１０６）。コピー操作は、タッチパネルディスプレイ装置３００Ａに表示された後述のコピーボタン（図８、９を参照）を操作することにより行なわれる。
【００４５】
このとき、制御装置２００Ａの制御部２１０は、ペン１００によるコピー操作に応じて、上記少なくとも１つのオブジェクトデータを、通信部２３０を介して、ペン１００に送信する（ステップＳ１０８）。
【００４６】
ペン１００の制御部１１０は、制御装置２００Ａからの上記少なくとも１つのオブジェクトデータを、通信部１３０を介して、受信し（ステップＳ１１０）、複数のオブジェクトデータとして記憶部１２０に保存（記憶）する（ステップＳ１１２）。
【００４７】
［１．３．２  ペースト処理］
図６は、第１実施形態に係る表示システムの動作として、ペースト処理を示すフローチャートである。ユーザは、教室ＲＡから教室ＲＢに移動した後に、教室ＲＢでペン１００を使用することによりペースト処理を行なう。
【００４８】
まず、ユーザは、ペン１００によるペースト操作を行なう（ステップＳ２００）。ペースト操作は、タッチパネルディスプレイ装置３００Ｂに表示された後述のペーストボタン（図１０を参照）を操作することにより行なわれる。
【００４９】
このとき、制御装置２００Ｂの制御部２１０は、ペン１００によるペースト操作に応じて、オブジェクトデータ要求をペン１００に送信する（ステップＳ２０２）。
【００５０】
ペン１００の制御部１１０は、制御装置２００Ｂからのオブジェクトデータ要求に応じて、記憶部１２０に記憶されている複数のオブジェクトデータを、通信部１３０を介して、制御装置２００Ｂに送信する（ステップＳ２０４）。
【００５１】
このとき、制御装置２００Ｂの制御部２１０は、ペン１００からの複数のオブジェクトデータをタッチパネルディスプレイ装置３００Ｂの第１の表示領域にサムネイル表示する（ステップＳ２０６）。
【００５２】
そこで、ユーザは、タッチパネルディスプレイ装置３００Ｂの第１の表示領域にサムネイル表示されている複数のオブジェクトデータのうちの、所望のオブジェクトデータをペン１００により選択する（ステップＳ２０８）。次に、ユーザは、ペン１００による第２の選択操作を行なう。ペン１００による第２の選択操作は、選択されたオブジェクトデータをタッチパネルディスプレイ装置３００Ｂの第１の表示領域（図１０の表示領域Ｗ１０を参照）から第２の表示領域（図１２の表示領域Ｗ１２を参照）に移動させて配置するドラッグ・アンド・ドロップ操作である（ステップＳ２１０）。
【００５３】
このとき、制御装置２００Ｂの制御部２１０は、ペン１００による第２の選択操作に応じて、タッチパネルディスプレイ装置３００Ｂの第１の表示領域にサムネイル表示された複数のオブジェクトデータのうちの、選択されたオブジェクトデータをタッチパネルディスプレイ装置３００Ｂの第２の表示領域に表示する。すなわち、選択されたオブジェクトデータは、タッチパネルディスプレイ装置３００Ｂの第１の表示領域から第２の表示領域に貼り付けられる（ステップＳ２１２）。
【００５４】
［１．４  動作例］
続いて、具体的な動作例（画面例）を、図７〜１２を参照して説明する。図７〜１２は、第１実施形態に係る表示システムの動作として、タッチパネルディスプレイ装置３００に表示される表示画面の一例である。タッチパネルディスプレイ装置３００（タッチパネルディスプレイ装置３００Ａ、３００Ｂ）の表示領域Ｗ２には、コピー操作を行なうためのコピーボタン３３０と、ペースト操作を行なうためのペーストボタン３３２とが表示されている。
【００５５】
ここで、コピーボタン３３０は、後述のコピー処理において、コピー操作を表すジェスチャー操作に基づいて表示され、ペーストボタン３３２は、後述のペースト処理において、ペースト操作を表すジェスチャー操作に基づいて表示される。例えば、コピー操作を表すジェスチャー操作は、ユーザがタッチパネルディスプレイ装置３００Ａに対してペン１００を第１設定時間（例えば、２秒間）長押しする操作であるものとする。ペースト操作を表すジェスチャー操作は、ユーザがタッチパネルディスプレイ装置３００Ｂに対してペン１００を第２設定時間（例えば、０．５秒）以内にダブルクリックする操作であるものとする。
【００５６】
または、ペン１００には、第１、第２のボタンが設けられ、コピーボタン３３０は、後述のコピー処理において、ペン１００の第１のボタンの操作に基づいて表示され、ペーストボタン３３２は、後述のペースト処理において、ペン１００の第２のボタンの操作に基づいて表示される。
【００５７】
［１．４．１  コピー処理］
まず、コピー処理について、図７〜９を参照して説明する。図７〜９は、第１実施形態に係る表示システムの動作として、コピー処理を説明するための図である。
【００５８】
図７に示すように、タッチパネルディスプレイ装置３００には、ユーザがペン１００を用いることにより描画（入力）された複数のオブジェクトデータが表示されている。
【００５９】
図７に示すように、ユーザは、ペン１００による第１の選択操作として、タッチパネルディスプレイ装置３００Ａに表示されている複数のオブジェクトデータのうちのオブジェクトデータＤ１０、Ｄ１２をペン１００により曲線で囲む。オブジェクトデータＤ１０は、テキストとして文字「方程式」と数式「Ｙ＝ａＸ＋ｂ」とを表している。オブジェクトデータＤ１２は、テキストとして文字「グラフ」を表し、図形として「Ｙ＝ａＸ＋ｂ」のグラフを表している。
【００６０】
このとき、制御装置２００Ａの制御部２１０は、ペン１００による第１の選択操作に応じて、タッチパネルディスプレイ装置３００Ａに表示されているオブジェクトデータＤ１０、Ｄ１２を取得する。具体的には、制御装置２００Ａの制御部２１０は、第１の選択操作に応じて、タッチパネルディスプレイ装置３００Ａに表示されているオブジェクトデータＤ１０、Ｄ１２を表す座標データを取得することにより、オブジェクトデータＤ１０、Ｄ１２を特定する。オブジェクトデータＤ１０、Ｄ１２を表す座標データは、タッチパネルディスプレイ装置３００Ａにおいて、表示部３１０にマトリクス状に配置された静電容量センサのうちの、入力検知部３２０が第１の選択操作を検出したときの静電容量センサの位置を表している。制御装置２００Ａの制御部２１０は、そのオブジェクトデータＤ１０、Ｄ１２を記憶部２２０に一時保存する。
【００６１】
図８に示すように、ユーザは、ペン１００によるコピー操作として、タッチパネルディスプレイ装置３００Ａの表示領域Ｗ２に表示されたコピーボタン３３０を操作する。制御装置２００Ａの制御部２１０は、ペン１００によるコピー操作（コピーコマンドＣｃ）を認識する。具体的には、制御装置２００Ａの制御部２１０は、タッチパネルディスプレイ装置３００Ａの表示領域Ｗ２に表示されているコピーボタン３３０を表す座標データを取得することにより、コピーボタン３３０の操作（コピーコマンドＣｃ）を認識する。コピーボタン３３０を表す座標データは、タッチパネルディスプレイ装置３００Ａにおいて、表示部３１０にマトリクス状に配置された静電容量センサのうちの、入力検知部３２０がコピーボタン３３０の操作を検出したときの静電容量センサの位置を表している。このとき、制御装置２００Ａの制御部２１０は、ペン１００によるコピー操作に応じて、オブジェクトデータＤ１０、Ｄ１２を、通信部２３０を介して、ペン１００に送信する。ペン１００の制御部１１０は、制御装置２００ＡからのオブジェクトデータＤ１０、Ｄ１２を、通信部１３０を介して、受信し、記憶部１２０に保存（記憶）する。
【００６２】
同様に、図９に示すように、ユーザは、ペン１００による第１の選択操作として、タッチパネルディスプレイ装置３００Ａに表示されている複数のオブジェクトデータのうちのオブジェクトデータＤ２０、Ｄ２２をペン１００により曲線で囲み、ペン１００によるコピー操作として、タッチパネルディスプレイ装置３００Ａの表示領域Ｗ２に表示されたコピーボタン３３０を操作する。オブジェクトデータＤ２０は、テキストとして文字「面積」を表し、オブジェクトデータＤ２２は、図形として台形を表している。この場合、制御装置２００Ａの制御部２１０は、ペン１００による第１の選択操作に応じて、タッチパネルディスプレイ装置３００Ａに表示されているオブジェクトデータＤ２０、Ｄ２２を記憶部２２０に一時保存し、ペン１００によるコピー操作（コピーコマンドＣｃ）に応じて、オブジェクトデータＤ２０、Ｄ２２を、通信部２３０を介して、ペン１００に送信する。ペン１００の制御部１１０は、制御装置２００ＡからのオブジェクトデータＤ２０、Ｄ２２を、通信部１３０を介して、受信し、記憶部１２０に保存（記憶）する。
【００６３】
［１．４．２  ペースト処理］
次に、ペースト処理について、図１０〜１２を参照して説明する。図１０〜１２は、第１実施形態に係る表示システムの動作として、ペースト処理を説明するための図である。ペン１００の記憶部１２０には、複数のオブジェクトデータとして、オブジェクトデータＤ１０、Ｄ１２、Ｄ２０、Ｄ２２が保存されている。
【００６４】
図１０に示すように、ユーザは、ペン１００によるペースト操作として、タッチパネルディスプレイ装置３００Ｂの表示領域Ｗ２に表示されたペーストボタン３３２を操作する。制御装置２００Ｂの制御部２１０は、ペン１００によるペースト操作（ペーストコマンドＣｐ）を認識する。具体的には、制御装置２００Ｂの制御部２１０は、タッチパネルディスプレイ装置３００Ｂの表示領域Ｗ２に表示されているペーストボタン３３２を表す座標データを取得することにより、ペーストボタン３３２の操作（ペーストコマンドＣｐ）を認識する。ペーストボタン３３２を表す座標データは、タッチパネルディスプレイ装置３００Ｂにおいて、表示部３１０にマトリクス状に配置された静電容量センサのうちの、入力検知部３２０がペーストボタン３３２の操作を検出したときの静電容量センサの位置を表している。このとき、制御装置２００Ｂの制御部２１０は、ペン１００によるペースト操作に応じて、オブジェクトデータ要求をペン１００に送信する。
【００６５】
図１０に示すように、ペン１００の制御部１１０は、制御装置２００Ｂからのオブジェクトデータ要求に応じて、記憶部１２０に記憶されている複数のオブジェクトデータＤ１０、Ｄ１２、Ｄ２０、Ｄ２２を、通信部１３０を介して、制御装置２００Ｂに送信する。このとき、制御装置２００Ｂの制御部２１０は、ペン１００からの複数のオブジェクトデータＤ１０、Ｄ１２、Ｄ２０、Ｄ２２をタッチパネルディスプレイ装置３００Ｂの第１の表示領域（表示領域Ｗ１０）にサムネイル表示する。この場合、複数のオブジェクトデータＤ１０、Ｄ１２、Ｄ２０、Ｄ２２の各々は、座標データに基づくサイズから、サムネイル表示するためのサイズに縮小されて、タッチパネルディスプレイ装置３００Ｂの表示領域Ｗ１０に表示される。
【００６６】
図１１に示すように、ユーザは、タッチパネルディスプレイ装置３００Ｂの表示領域Ｗ１０にサムネイル表示されている複数のオブジェクトデータＤ１０、Ｄ１２、Ｄ２０、Ｄ２２のうちの、所望のオブジェクトデータＤ１２をペン１００により選択する。
【００６７】
図１２に示すように、ユーザは、ペン１００による第２の選択操作として、選択されたオブジェクトデータＤ１２をタッチパネルディスプレイ装置３００Ｂの表示領域Ｗ１０から第２の表示領域（表示領域Ｗ２０）に移動させて配置するドラッグ・アンド・ドロップ操作を行なう。このとき、制御装置２００Ｂの制御部２１０は、ペン１００による第２の選択操作に応じて、タッチパネルディスプレイ装置３００Ｂの表示領域Ｗ１０にサムネイル表示された複数のオブジェクトデータのうちの、選択されたオブジェクトデータＤ１２をタッチパネルディスプレイ装置３００Ｂの表示領域Ｗ２０に表示する。ここで、選択されたオブジェクトデータＤ１２がタッチパネルディスプレイ装置３００Ｂの表示領域Ｗ１０から表示領域Ｗ２０に移動またはコピーされたとき、そのオブジェクトデータＤ１２は、サムネイル表示するためのサイズから、座標データに基づくサイズに拡大されて、タッチパネルディスプレイ装置３００Ｂの表示領域Ｗ２０に表示される。
【００６８】
以上の説明により、第１実施形態に係る表示システムは、表示装置（タッチパネルディスプレイ装置３００Ａ、３００Ｂ）を制御する制御部（制御装置２００Ａ、２００Ｂの制御部２１０）と、制御装置２００Ａ、２００Ｂと通信可能なペン１００と、を具備している。制御装置２００Ａの制御部２１０は、第１の選択操作に応じて、タッチパネルディスプレイ装置３００Ａに表示されている少なくとも１つのオブジェクトデータ（オブジェクトデータＤ１０、Ｄ１２、Ｄ２０、Ｄ２２）を取得し、ペン１００によるコピー操作に応じて、オブジェクトデータＤ１０、Ｄ１２、Ｄ２０、Ｄ２２をペン１００に送信する。ペン１００は、記憶部１２０と、制御装置２００Ａの制御部２１０からのオブジェクトデータＤ１０、Ｄ１２、Ｄ２０、Ｄ２２を複数のオブジェクトデータとして記憶部１２０に記憶するペン制御部（制御部１１０）と、を具備している。ペン１００の制御部１１０は、制御装置２００Ｂの制御部２１０からのオブジェクトデータ要求に応じて、記憶部１２０に記憶されている複数のオブジェクトデータＤ１０、Ｄ１２、Ｄ２０、Ｄ２２を制御装置２００Ｂの制御部２１０に送信する。制御装置２００Ｂの制御部２１０は、ペン１００によるペースト操作に応じて、オブジェクトデータ要求をペン１００に送信し、ペン１００からの複数のオブジェクトデータＤ１０、Ｄ１２、Ｄ２０、Ｄ２２をタッチパネルディスプレイ装置３００Ｂの第１の表示領域（表示領域Ｗ１０）にサムネイル表示する。制御装置２００Ｂの制御部２１０は、ペン１００による選択操作に応じて、タッチパネルディスプレイ装置３００Ｂの表示領域Ｗ１０にサムネイル表示された複数のオブジェクトデータＤ１０、Ｄ１２、Ｄ２０、Ｄ２２のうちの、選択されたオブジェクトデータＤ１２をタッチパネルディスプレイ装置３００Ｂの第２の表示領域（表示領域Ｗ２０）に表示する。このように、第１実施形態に係る表示システムでは、タッチパネルディスプレイ装置３００Ａに表示された複数のオブジェクトデータＤ１０、Ｄ１２、Ｄ２０、Ｄ２２をペン１００に保存（記憶）し、ペン１００に保存された複数のオブジェクトデータＤ１０、Ｄ１２、Ｄ２０、Ｄ２２を選択的にタッチパネルディスプレイ装置３００Ｂに表示するため、ユーザが複数のオブジェクトデータＤ１０、Ｄ１２、Ｄ２０、Ｄ２２を２回入力するような手間を省くことができる。
【００６９】
また、第１実施形態に係る表示システムにおいて、タッチパネルディスプレイ装置３００Ａ、３００Ｂの表示領域Ｗ２には、コピー操作を行なうためのコピーボタン３３０と、ペースト操作を行なうためのペーストボタン３３２とが表示されている。コピー操作、ペースト操作は、それぞれ、コピーボタン３３０の操作、ペーストボタン３３２の操作である。また、第１の選択操作は、タッチパネルディスプレイ装置３００Ａに表示されているオブジェクトデータＤ１０、Ｄ１２、Ｄ２０、Ｄ２２をペン１００により曲線で囲む操作である。第２の選択操作は、選択されたオブジェクトデータＤ１２をタッチパネルディスプレイ装置３００Ｂの表示領域Ｗ１０から表示領域Ｗ２０に移動させて配置するドラッグ・アンド・ドロップ操作である。これにより、第１実施形態に係る表示システムでは、簡単な操作で、第１の選択操作、コピー操作、ペースト操作、第２の選択操作を行なうことができる。
【００７０】
このように、本実施形態によれば、ディスプレイに操作ボタンを表示させて、ユーザは表示された操作ボタンの選択によりコピー、ペースト処理させるという、タッチパネルへの操作で、容易にかつ違和感のない操作による処理が可能である。
【００７１】
［２．  第２実施形態］
続いて、第２実施形態について説明する。第２実施形態では、複数のオブジェクトデータをペン１００に予め保存（記憶）しておき、ペンに保存された複数のオブジェクトデータのうちの、選択されたオブジェクトデータを表示装置に表示する。第２実施形態では、第１実施形態と同一の処理については、同一の符号を付すことにより、その詳細な説明を省略する。
【００７２】
図１３は、第２実施形態に係る表示システムの概略を説明するための図である。第２実施形態では、第１実施形態におけるコピー処理を行なわずに、ダウンロード処理と、第１実施形態におけるペースト処理とをのみ行なわれる。
【００７３】
ダウンロード処理では、ユーザは、ペン１００に対して、複数のオブジェクトデータＤ１０、Ｄ１２、Ｄ２０、Ｄ２２を予めダウンロードしておく。あるいは、ペン１００は、複数のオブジェクトデータＤ１０、Ｄ１２、Ｄ２０、Ｄ２２が予めダウンロードされた状態で出荷されている。
【００７４】
ペースト処理では、ユーザは、教室ＲＢに移動し（１点鎖線を参照）、制御装置２００Ｂは、ペン１００によるペースト操作や選択操作に応じて、ペン１００に保存された複数のオブジェクトデータＤ１０、Ｄ１２、Ｄ２０、Ｄ２２のうちの、選択されたオブジェクトデータをタッチパネルディスプレイ装置３００Ｂに表示する。
【００７５】
以上の説明により、第２実施形態に係る表示システムは、表示装置（タッチパネルディスプレイ装置３００Ｂ）を制御する制御部（制御装置２００Ｂの制御部２１０）と、制御部（制御装置２００Ｂの制御部２１０）と通信可能なペン１００と、を具備している。ペン１００は、複数のオブジェクトデータＤ１０、Ｄ１２、Ｄ２０、Ｄ２２を記憶する記憶部１２０と、制御装置２００Ｂの制御部２１０からのオブジェクトデータ要求に応じて、記憶部１２０に記憶されている複数のオブジェクトデータＤ１０、Ｄ１２、Ｄ２０、Ｄ２２を制御装置２００Ｂの制御部２１０に送信するペン制御部（制御部１１０）と、を具備している。制御装置２００Ｂの制御部２１０は、ペン１００によるペースト操作に応じて、オブジェクトデータ要求をペン１００に送信し、ペン１００からの複数のオブジェクトデータＤ１０、Ｄ１２、Ｄ２０、Ｄ２２をタッチパネルディスプレイ装置３００Ｂの第１の表示領域（表示領域Ｗ１０）にサムネイル表示する。制御装置２００Ｂの制御部２１０は、ペン１００による選択操作（第１実施形態における第２の選択操作）に応じて、タッチパネルディスプレイ装置３００Ｂの表示領域Ｗ１０にサムネイル表示された複数のオブジェクトデータＤ１０、Ｄ１２、Ｄ２０、Ｄ２２のうちの、選択されたオブジェクトデータＤ１２をタッチパネルディスプレイ装置３００Ｂの第２の表示領域（表示領域Ｗ２０）に表示する。このように、第２実施形態に係る表示システムでは、複数のオブジェクトデータＤ１０、Ｄ１２、Ｄ２０、Ｄ２２をペン１００に保存（記憶）し、ペン１００に保存された複数のオブジェクトデータＤ１０、Ｄ１２、Ｄ２０、Ｄ２２を選択的にタッチパネルディスプレイ装置３００Ｂに表示するため、ユーザが複数のオブジェクトデータＤ１０、Ｄ１２、Ｄ２０、Ｄ２２を２回入力するような手間を省くことができる。
【００７６】
また、第２実施形態に係る表示システムにおいて、タッチパネルディスプレイ装置３００Ｂの表示領域Ｗ２には、ペースト操作を行なうためのペーストボタン３３２が表示されている。ペースト操作は、ペーストボタン３３２の操作である。また、選択操作（第１実施形態における第２の選択操作）は、選択されたオブジェクトデータＤ１２をタッチパネルディスプレイ装置３００Ｂの表示領域Ｗ１０から表示領域Ｗ２０に移動させて配置するドラッグ・アンド・ドロップ操作である。これにより、第２実施形態に係る表示システムでは、簡単な操作で、ペースト操作、選択操作を行なうことができる。
【００７７】
［３．  第３実施形態］
続いて、第３実施形態について説明する。第３実施形態は、第１実施形態の機能及び構成は同一であるが、コピー処理を、図５から図１４に置き換え、ペースト処理を、図６から図１５に置き換えたものである。本実施形態では、当該処理を中心に説明する。なお、第１実施形態と同一の処理については、同一の符号を付すことにより、その詳細な説明を省略する。
【００７８】
［３．１  コピー処理］
図１４は、第３実施形態に係る表示システムの動作として、コピー処理を示すフローチャートである。
【００７９】
まず、第１実施形態におけるステップＳ１００、Ｓ１０２、Ｓ１０４が実行される。次に、ユーザは、ペン１００によるコピー操作を行なう（ステップＳ３００）。コピー操作は、タッチパネルディスプレイ装置３００Ａに対するジェスチャー操作により行なわれる。例えば、コピー操作を表すジェスチャー操作は、ユーザがタッチパネルディスプレイ装置３００Ａに対してペン１００を第１設定時間（例えば、２秒間）長押しする操作であるものとする。このとき、第１実施形態におけるステップＳ１０８以降が実行される。
【００８０】
［３．２  ペースト処理］
図１５は、第３実施形態に係る表示システムの動作として、ペースト処理を示すフローチャートである。
【００８１】
まず、ユーザは、ペン１００によるペースト操作を行なう（ステップＳ３５０）。ペースト操作は、タッチパネルディスプレイ装置３００Ｂに対するジェスチャー操作により行なわれる。例えば、ペースト操作を表すジェスチャー操作は、ユーザがタッチパネルディスプレイ装置３００Ｂに対してペン１００を第２設定時間（例えば、０．５秒）以内にダブルクリックする操作であるものとする。このとき、第１実施形態におけるステップＳ２０２以降が実行される。
【００８２】
以上の説明により、第３実施形態に係る表示システムにおいて、コピー操作、ペースト操作は、それぞれ異なる特定のジェスチャー操作「長押し」、「ダブルクリック」である。これにより、第３実施形態に係る表示システムでは、簡単な操作で、コピー操作、ペースト操作を行なうことができる。
【００８３】
［４．  第４実施形態］
続いて、第４実施形態について説明する。第４実施形態は、第１実施形態の機能及び構成は同一であるが、コピー処理を、図５から図１６に置き換えたものである。本実施形態では、当該処理を中心に説明する。なお、第１実施形態と同一の処理については、同一の符号を付すことにより、その詳細な説明を省略する。
【００８４】
［４．１  コピー処理］
図１６は、第４実施形態に係る表示システムの動作として、コピー処理を示すフローチャートである。
【００８５】
まず、制御装置２００Ａの制御部２１０は、ユーザによりタッチパネルディスプレイ装置３００Ａがタッチされているか否かを確認する（ステップＳ４００）。ユーザによりタッチパネルディスプレイ装置３００Ａがタッチされていない場合（ステップＳ４００−Ｎｏ）、再度、ステップＳ４００が実行される。
【００８６】
ユーザのタッチ（手つき）を表す座標データは、タッチパネルディスプレイ装置３００Ａにおいて、表示部３１０にマトリクス状に配置された静電容量センサのうちの、入力検知部３２０がユーザのタッチ（手つき）を検出したときの静電容量センサの位置を表している。例えば、入力検知部３２０がユーザのタッチ（手つき）を検出する条件として、その容量値が設定容量値以上である静電容量センサの数が設定センサ数以上存在する場合である。
【００８７】
ユーザによりタッチパネルディスプレイ装置３００Ａがタッチされている場合（ステップＳ４００−Ｙｅｓ）、第１実施形態におけるステップＳ１００以降が実行される。
【００８８】
以上の説明により、第４実施形態に係る表示システムにおいて、制御部（制御装置２００Ａの制御部２１０）は、ユーザにより表示装置（タッチパネルディスプレイ装置３００Ａ）がタッチされているときに、第１の選択操作が行なわれた場合、少なくとも１つのオブジェクトデータ（オブジェクトデータＤ１０、Ｄ１２、Ｄ２０、Ｄ２２）を取得する。これにより、第４実施形態に係る表示システムでは、ユーザは、タッチパネルディスプレイ装置３００Ａをタッチしながら、第１の選択操作（タッチパネルディスプレイ装置３００Ａに表示されているオブジェクトデータＤ１０、Ｄ１２、Ｄ２０、Ｄ２２をユーザがペン１００により曲線で囲む操作）を行なった場合に、オブジェクトデータＤ１０、Ｄ１２、Ｄ２０、Ｄ２２を選択することができる。このように、第４実施形態に係る表示システムでは、オブジェクトデータＤ１０、Ｄ１２、Ｄ２０、Ｄ２２を選択する場合と、例えばユーザがペン１００により丸を描画（入力）した場合とを区別することができる。
【００８９】
［５．  第５実施形態］
続いて、第５実施形態について説明する。第５実施形態は、第１実施形態のペン１００の機能を、図４から図１７に置き換えたものである。本実施形態では、当該処理を中心に説明する。なお、第１実施形態と同一の処理については、同一の符号を付すことにより、その詳細な説明を省略する。
【００９０】
［５．１  ペン１００］
図１７は、第５実施形態に係る表示システムのペン１００の機能構成を示すブロック図である。図１７に示すように、ペン１００は、更に、コピーボタン１４０と、ペーストボタン１４２とを備えている。コピーボタン１４０は、第１実施形態におけるコピーボタン３３０、すなわち、タッチパネルディスプレイ装置３００Ａ、３００Ｂの表示領域Ｗ２に表示されたコピーボタン３３０に相当する機能である。ペーストボタン１４２は、第１実施形態におけるペーストボタン３３２、すなわち、タッチパネルディスプレイ装置３００Ａ、３００Ｂの表示領域Ｗ２に表示されたペーストボタン３３２に相当する機能である。
【００９１】
以上の説明により、第５実施形態に係る表示システムにおいて、ペン１００は、コピー操作を行なうためのコピーボタン１４０と、ペースト操作を行なうためのペーストボタン１４２とを更に具備し、コピー操作、ペースト操作は、それぞれ、コピーボタン１４０の操作、ペーストボタン１４２の操作である。これにより、第５実施形態に係る表示システムでは、簡単な操作で、コピー操作、ペースト操作を行なうことができる。
【００９２】
［６．  第６実施形態］
続いて、第６実施形態について説明する。第１実施形態では、複数のオブジェクトデータの各々は、テキスト（文字、数字など）や図形（グラフ、表など）を表すデータであるが、第６実施形態では、複数のオブジェクトデータの各々は、テキスト（文字、数字など）や図形（グラフ、表など）を表すデータだけではなく、画面全体を表すデータであってもよい。
【００９３】
図１８は、第６実施形態に係る表示システムのペン１００の記憶部１２０の記憶内容を説明するための図である。記憶部１２０に記憶された複数のオブジェクトデータのうちのオブジェクトデータＤ１０は、第１実施形態と同様に、テキストとして文字「方程式」と数式「Ｙ＝ａＸ＋ｂ」とを表している。記憶部１２０に記憶された複数のオブジェクトデータのうちのオブジェクトデータＤ１２は、第１実施形態と同様に、テキストとして文字「グラフ」を表し、図形として「Ｙ＝ａＸ＋ｂ」のグラフを表している。記憶部１２０に記憶された複数のオブジェクトデータのうちのオブジェクトデータＤ６０は、テキストとして、文字「台形」、「面積」、「（上辺＋下辺）×高さ÷２」を表すデータと、図形として台形を表すデータとを含む画面全体（例えば、タッチパネルディスプレイ装置３００Ａの表示画面）を表している。
【００９４】
［７．  第７実施形態］
続いて、第７実施形態について説明する。コピー処理において、第１実施形態では、複数のオブジェクトデータがペン１００の記憶部１２０に保存（記憶）されているが、第７実施形態では、複数のオブジェクトデータが属性データと共にペン１００の記憶部１２０に保存（記憶）されてもよい。
【００９５】
［７．１  コピー処理］
第７実施形態に係る表示システムの動作として、図５を参照してコピー処理を説明する。
【００９６】
まず、オブジェクトデータＤ１０、Ｄ１２に対してコピー処理が実行される。この場合、ステップＳ１００、Ｓ１０２、Ｓ１０４が実行されたときに、制御装置２００Ａの制御部２１０は、オブジェクトデータＤ１０、Ｄ１２を記憶部２２０に一時保存すると共に、そのときの日時「2016/1/21/14：00」を属性データＡ１０として記憶部２２０に一時保存する。
【００９７】
また、オブジェクトデータＤ２０、Ｄ２２に対してコピー処理が実行される。この場合、ステップＳ１００、Ｓ１０２、Ｓ１０４が実行されたときに、制御装置２００Ａの制御部２１０は、オブジェクトデータＤ２０、Ｄ２２を記憶部２２０に一時保存すると共に、そのときの日時「2016/1/21/15：00」を属性データＡ２０として記憶部２２０に一時保存する。
【００９８】
次に、ステップＳ１０６、Ｓ１０８、Ｓ１１０、Ｓ１１２が実行されたときに、ペン１００の制御部１１０は、オブジェクトデータＤ１０、Ｄ１２と属性データＡ１０とを対応付けるデータと、オブジェクトデータＤ２０、Ｄ２２と属性データＡ２０とを対応付けるデータと、を制御装置２００Ａから受信して記憶部１２０に保存（記憶）する。
【００９９】
図１９は、第７実施形態に係る表示システムのペン１００の記憶部１２０の記憶内容を説明するための図である。ペン１００の記憶部１２０には、オブジェクトデータＤ１０、Ｄ１２と属性データＡ１０とを対応付けるデータと、オブジェクトデータＤ２０、Ｄ２２と属性データＡ２０とを対応付けるデータと、が保存されている。
【０１００】
また、図２０、２１に示すような利用シーンも考えられる。図２０に示すように、属性データＡ１０、Ａ２０は、ファイル情報を含んでいる。具体的には、属性データＡ１０は、日時「2016/1/21/14：00」に加えて、ファイル情報「\\リムーバルディスク\数学\公式\１次関数」を含んでいる。属性データＡ２０は、日時「2016/1/21/15：00」に加えて、ファイル情報「\\リムーバルディスク\数学\公式\面積」を含んでいる。
【０１０１】
描画したタイミングでオブジェクトデータをコピーするだけでなく、表示されているファイルにオブジェクトデータを描画した場合、ファイルを更新保存する場合がある。このファイルは、新たに複数のオブジェクトデータが描画された更新ファイルである場合、複数のオブジェクトデータを保存しても良いし、保存したオブジェクトデータに識別情報として、日時だけでなく、保存したファイル情報を記憶させておいても良い。ユーザは、表示装置（タッチパネルディスプレイ装置３００Ｂ）でオブジェクトデータをペースト処理する場合、複数のオブジェクトデータを個別に選択するよりも、表示されたオブジェクトデータの属性情報（ファイル情報）をタッチ操作すればよい。図２１に示すように、表示されたオブジェクトデータＤ１０、Ｄ１２の属性情報Ａ１０のファイル情報「\\リムーバルディスク\数学\公式\１次関数」がペン１００によりタッチ操作された場合、ファイルが起動し、画面に表示される。これにより、ユーザは、複数のオブジェクトデータが描画されたファイルを表示させることが可能となる。
【０１０２】
［８．  第８実施形態］
続いて、第８実施形態について説明する。第８実施形態では、ペースト処理において、ペン１００の記憶部１２０に保存（記憶）された複数のオブジェクトデータＤ１０、Ｄ１２、Ｄ２０、Ｄ２２がサムネイル表示されるときに、第７実施形態における属性データＡ１０、Ａ２０も表示されてもよい。
【０１０３】
［８．１  ペースト処理］
第８実施形態に係る表示システムの動作として、図６を参照してペースト処理を説明する。
【０１０４】
まず、ユーザは、ペン１００によるペースト操作を行なう（ステップＳ２００）。
【０１０５】
このとき、制御装置２００Ｂの制御部２１０は、ペン１００によるペースト操作に応じて、複数のオブジェクトデータＤ１０、Ｄ１２、Ｄ２０、Ｄ２２と属性情報Ａ１０、Ａ２０とを要求するためにオブジェクトデータ要求をペン１００に送信する（ステップＳ２０２）。
【０１０６】
ペン１００の制御部１１０は、制御装置２００Ｂからのオブジェクトデータ要求に応じて、オブジェクトデータＤ１０、Ｄ１２と属性データＡ１０とを対応付けるデータと、オブジェクトデータＤ２０、Ｄ２２と属性データＡ２０とを対応付けるデータと、記憶部１２０から読み出して、通信部１３０を介して、制御装置２００Ｂに送信する（ステップＳ２０４）。
【０１０７】
このとき、制御装置２００Ｂの制御部２１０は、オブジェクトデータＤ１０、Ｄ１２と属性データＡ１０とを対応付けるデータと、オブジェクトデータＤ２０、Ｄ２２と属性データＡ２０とを対応付けるデータと、をペン１００から受け取り、タッチパネルディスプレイ装置３００Ｂの表示領域Ｗ１０にサムネイル表示する（ステップＳ２０６）。その後、ステップＳ２０８以降が実行される。
【０１０８】
図２２、２３は、第８実施形態に係る表示システムの動作として、タッチパネルディスプレイ装置３００Ｂに表示される表示画面の一例である。図２２に示すように、ステップＳ２０６において、オブジェクトデータＤ１０、Ｄ１２と属性データＡ１０とを対応付けるデータが、タッチパネルディスプレイ装置３００Ｂの表示領域Ｗ１０にサムネイル表示される。ここで、ステップＳ２０８の処理が行なわれずに所定時間が経過したものとする。この場合、図２３に示すように、オブジェクトデータＤ２０、Ｄ２２と属性データＡ２０とを対応付けるデータが、タッチパネルディスプレイ装置３００Ｂの表示領域Ｗ１０にサムネイル表示される。すなわち、タッチパネルディスプレイ装置３００Ｂの表示領域Ｗ１０において、オブジェクトデータＤ１０、Ｄ１２と属性データＡ１０とを対応付けるデータから、オブジェクトデータＤ２０、Ｄ２２と属性データＡ２０とを対応付けるデータにスライド表示される。
【０１０９】
［９．  第９実施形態］
続いて、第９実施形態について説明する。ペースト処理において、選択されたオブジェクトデータ（例えば、オブジェクトデータＤ１２）がタッチパネルディスプレイ装置３００Ｂの表示領域Ｗ１０から表示領域Ｗ２０に移動した場合、第１実施形態では、表示領域Ｗ１０内のオブジェクトデータＤ１２が表示されたままであるが、第９実施形態では、表示領域Ｗ１０内のオブジェクトデータＤ１２が削除されてもよい。
【０１１０】
［９．１  ペースト処理］
第９実施形態に係る表示システムの動作として、図６を参照してペースト処理を説明する。
【０１１１】
まず、ステップＳ２００、Ｓ２０２、Ｓ２０４、Ｓ２０６、Ｓ２０８、Ｓ２１０が実行される。この場合、制御装置２００Ｂの制御部２１０は、ペン１００による第２の選択操作（ドラッグ・アンド・ドロップ操作）に応じて、タッチパネルディスプレイ装置３００Ｂの表示領域Ｗ１０にサムネイル表示された複数のオブジェクトデータＤ１０、Ｄ１２、Ｄ２０、Ｄ２２のうちの、選択されたオブジェクトデータＤ１２をタッチパネルディスプレイ装置３００Ｂの表示領域Ｗ２０に表示する。このとき、制御装置２００Ｂの制御部２１０は、タッチパネルディスプレイ装置３００Ｂの表示領域Ｗ１０にサムネイル表示された複数のオブジェクトデータＤ１０、Ｄ１２、Ｄ２０、Ｄ２２の中から、選択されたオブジェクトデータＤ１２を削除する（ステップＳ２１２）。
【０１１２】
図２４は、第９実施形態に係る表示システムの動作として、タッチパネルディスプレイ装置３００Ｂに表示される表示画面の一例である。図２４に示すように、ステップＳ２１２において、タッチパネルディスプレイ装置３００Ｂの表示領域Ｗ１０にサムネイル表示された複数のオブジェクトデータＤ１０、Ｄ１２、Ｄ２０、Ｄ２２の中から、選択されたオブジェクトデータＤ１２が削除されている。
【０１１３】
［１０．  第１０実施形態］
続いて、第１０実施形態について説明する。第１実施形態では、第１、第２の表示装置をそれぞれタッチパネルディスプレイ装置３００Ａ、３００Ｂとしているが、第１０実施形態では、第２の表示装置は、透過性のタッチパネルディスプレイ装置と、映像投影装置（プロジェクタなどの装置）とで実現されてもよい。
【０１１４】
透過性のタッチパネルディスプレイ装置は、透過性の投影シートと、静電容量センサと、透過性の基材と、低反射フィルムとを備えている。投影シートは、第１実施形態における表示部３１０に相当し、投影シートの表面には、映像投影装置からの映像が投影される。静電容量センサは、第１実施形態における入力検知部３２０の静電容量センサ（表示部３１０にマトリクス状に配置された静電容量センサ）に相当し、投影シートの裏面と基材の表面との間に、座標を形成するように配置されている。外光の反射を軽減するために、基材の裏面は、低反射フィルムの表面で覆われている。
【０１１５】
制御装置２００Ｂの制御部２１０は、透過性のタッチパネルディスプレイ装置の表示領域Ｗ２に、コピー操作を行なうためのコピーボタン３３０と、ペースト操作を行なうためのペーストボタン３３２とが投影（表示）されるように、映像投影装置を制御する。
【０１１６】
例えば、制御装置２００Ｂの制御部２１０は、静電容量センサの容量の変化により、透過性のタッチパネルディスプレイ装置の表示領域Ｗ２に表示されているペーストボタン３３２を表す座標データを取得することにより、ペーストボタン３３２の操作を認識する。ペーストボタン３３２を表す座標データは、透過性のタッチパネルディスプレイ装置において、表示部３１０にマトリクス状に配置された静電容量センサのうちの、入力検知部３２０がペーストボタン３３２の操作を検出したときの静電容量センサの位置を表している。この場合、制御装置２００Ｂの制御部２１０は、ペン１００からの複数のオブジェクトデータＤ１０、Ｄ１２、Ｄ２０、Ｄ２２を透過性のタッチパネルディスプレイ装置の第１の表示領域（第１実施形態における表示領域Ｗ１０に相当）に投影（サムネイル表示）されるように、映像投影装置を制御する。
【０１１７】
例えば、制御装置２００Ｂの制御部２１０は、静電容量センサの容量の変化により、ペン１００による選択操作（ドラッグ・アンド・ドロップ操作）を表す座標データを取得することにより、その選択操作を認識する。その選択操作を表す座標データは、透過性のタッチパネルディスプレイ装置において、表示部３１０にマトリクス状に配置された静電容量センサのうちの、入力検知部３２０が選択操作（ドラッグ・アンド・ドロップ操作）を検出したときの静電容量センサの位置を表している。この場合、制御装置２００Ｂの制御部２１０は、ペン１００による選択操作に応じて、透過性のタッチパネルディスプレイ装置の表示領域Ｗ１０にサムネイル表示された複数のオブジェクトデータＤ１０、Ｄ１２、Ｄ２０、Ｄ２２のうちの、選択されたオブジェクトデータＤ１２が透過性のタッチパネルディスプレイ装置の第２の表示領域（第１実施形態における表示領域Ｗ２０に相当）に投影（表示）されるように、映像投影装置を制御する。
【０１１８】
［１１．  第１１実施形態］
続いて、第１１実施形態について説明する。第１１実施形態では、タッチパネルディスプレイ装置３００Ｂと、それを制御する制御装置２００Ｂとは、タブレット端末やスマートフォン等の携帯端末に設けられていてもよい。この場合、複数のオブジェクトデータＤ１０、Ｄ１２、Ｄ２０、Ｄ２２のサイズを、タッチパネルディスプレイ装置３００Ａのサイズと３００Ｂのサイズとの比に基づいて変更することが好ましい。
【０１１９】
［１２．  第１２実施形態］
続いて、第１２実施形態について説明する。第１２実施形態では、タッチパネルディスプレイ装置３００Ｂと、それを制御する制御装置２００Ｂとは、複合機に設けられていてもよい。複合機は、コピーやファクシミリ等の機能を実現する画像形成部を備えている。この場合、複数のオブジェクトデータＤ１０、Ｄ１２、Ｄ２０、Ｄ２２を、画像形成部のコピー機能により印刷したり、ファクシミリ機能により送信したりすることが可能になる。
【０１２０】
［１３．  第１３実施形態］
続いて、第１３実施形態について説明する。第１実施形態では、第１、第２の制御装置をそれぞれ制御装置２００Ａ、２００Ｂとしているが、第１３実施形態では、制御装置２００Ａ、２００Ｂを１つのサーバで実現してもよい。
【０１２１】
［１３．１  全体構成］
まず、全体構成について図２５を参照して説明する。図２５は、第１３実施形態に係る表示システムの概略を説明するための図である。表示システムは、ペン１００と、サーバ４００と、複数のタッチパネルディスプレイ装置３００と、を具備している。
【０１２２】
［１３．２  サーバ４００］
図２６は、第１３実施形態に係る表示システムのサーバ４００の機能構成を示すブロック図である。図２６に示すように、サーバ４００は、制御部４１０と、記憶部４２０と、通信部４３０とを備えている。
【０１２３】
制御部４１０は、サーバ４００の全体を制御するための機能部である。制御部４１０は、記憶部４２０に記憶されている各種プログラムを読み出して実行することにより各種機能を実現しており、例えばＣＰＵ等により構成されている。制御部４１０は、第１実施形態における制御装置２００Ａの制御部２１０と、第１実施形態における制御装置２００Ｂの制御部２１０との機能を実現する。
【０１２４】
記憶部４２０は、サーバ４００の動作に必要な各種プログラムや、各種データが記憶されている機能部である。記憶部４２０は、例えば、半導体メモリや、ＨＤＤ（Hard Disk Drive）等により構成されている。記憶部４２０は、第１実施形態における制御装置２００Ａの記憶部２２０と、第１実施形態における制御装置２００Ｂの記憶部２２０との機能を実現する。
【０１２５】
通信部４３０は、サーバ４００が、ペン１００と通信を行うための機能部である。通信部４３０は、第１実施形態における制御装置２００Ａの通信部２３０と、第１実施形態における制御装置２００Ｂの通信部２３０との機能を実現する。
【０１２６】
［１３．３  処理の流れ］
続いて、本実施形態における処理の流れについて、図を参照して説明する。
【０１２７】
［１３．３．１  コピー処理］
図２７は、第１３実施形態に係る表示システムの動作として、コピー処理を示すフローチャートである。ユーザは、教室ＲＡでペン１００を使用することによりコピー処理を行なう。
【０１２８】
まず、ユーザは、複数のオブジェクトデータをタッチパネルディスプレイ装置３００Ａに描画（入力）する。次に、ユーザは、ペン１００による第１の選択操作を行なう。ペン１００による第１の選択操作は、タッチパネルディスプレイ装置３００Ａに表示されている少なくとも１つのオブジェクトデータ（オブジェクトデータＤ１０、Ｄ１２、Ｄ２０、Ｄ２２）をペン１００により曲線で囲む操作である（ステップＳ１１００）。
【０１２９】
このとき、サーバ４００の制御部４１０は、ペン１００による第１の選択操作に応じて、タッチパネルディスプレイ装置３００Ａに表示されている少なくとも１つのオブジェクトデータ（オブジェクトデータＤ１０、Ｄ１２、Ｄ２０、Ｄ２２）を取得する（ステップＳ１１０２）。サーバ４００の制御部４１０は、上記少なくとも１つのオブジェクトデータ（オブジェクトデータＤ１０、Ｄ１２、Ｄ２０、Ｄ２２）を複数のオブジェクトデータとして記憶部４２０に保存（記憶）する（ステップＳ１１０４）。
【０１３０】
次に、ユーザは、ペン１００によるコピー操作を行なう（ステップＳ１１０６）。コピー操作は、タッチパネルディスプレイ装置３００Ａに表示されたコピーボタン３３０（図８、９を参照）を操作することにより行なわれる。
【０１３１】
このとき、サーバ４００の制御部４１０は、ペン１００によるコピー操作に応じて、記憶部４２０に記憶された複数のオブジェクトデータＤ１０、Ｄ１２、Ｄ２０、Ｄ２２をそれぞれ識別するための複数の識別情報を、通信部４３０を介して、ペン１００に送信する（ステップＳ１１０８）。
【０１３２】
ペン１００の制御部１１０は、サーバ４００からの複数の識別情報を、通信部１３０を介して、受信し（ステップＳ１１１０）、記憶部１２０に保存（記憶）する（ステップＳ１１１２）。
【０１３３】
［１３．３．２  ペースト処理］
図２８は、第１３実施形態に係る表示システムの動作として、ペースト処理を示すフローチャートである。ユーザは、教室ＲＡから教室ＲＢに移動した後に、教室ＲＢでペン１００を使用することによりペースト処理を行なう。
【０１３４】
まず、ユーザは、ペン１００によるペースト操作を行なう（ステップＳ１２００）。ペースト操作は、タッチパネルディスプレイ装置３００Ｂに表示されたペーストボタン３３２（図１０を参照）を操作することにより行なわれる。
【０１３５】
このとき、サーバ４００の制御部４１０は、ペン１００によるペースト操作に応じて、識別情報要求をペン１００に送信する（ステップＳ１２０２）。
【０１３６】
ペン１００の制御部１１０は、サーバ４００からの識別情報要求に応じて、記憶部１２０に記憶されている複数の識別情報を、通信部１３０を介して、サーバ４００に送信する（ステップＳ１２０４）。
【０１３７】
このとき、サーバ４００の制御部４１０は、ペン１００からの複数の識別情報にそれぞれ対応する複数のオブジェクトデータＤ１０、Ｄ１２、Ｄ２０、Ｄ２２をタッチパネルディスプレイ装置３００Ｂの第１の表示領域（表示領域Ｗ１０）にサムネイル表示する（ステップＳ１２０６）。
【０１３８】
そこで、ユーザは、タッチパネルディスプレイ装置３００Ｂの表示領域Ｗ１０にサムネイル表示されている複数のオブジェクトデータＤ１０、Ｄ１２、Ｄ２０、Ｄ２２のうちの、所望のオブジェクトデータ（例えば、オブジェクトデータＤ１２）をペン１００により選択する（ステップＳ１２０８）。次に、ユーザは、ペン１００による第２の選択操作を行なう。ペン１００による第２の選択操作は、選択されたオブジェクトデータＤ１２をタッチパネルディスプレイ装置３００Ｂの表示領域Ｗ１０から第２の表示領域（表示領域Ｗ２０）に移動させて配置するドラッグ・アンド・ドロップ操作である（ステップＳ１２１０）。
【０１３９】
このとき、サーバ４００の制御部４１０は、ペン１００による第２の選択操作に応じて、タッチパネルディスプレイ装置３００Ｂの表示領域Ｗ１０にサムネイル表示された複数のオブジェクトデータＤ１０、Ｄ１２、Ｄ２０、Ｄ２２のうちの、選択されたオブジェクトデータＤ１２をタッチパネルディスプレイ装置３００Ｂの表示領域Ｗ２０に表示する。すなわち、選択されたオブジェクトデータＤ１２は、タッチパネルディスプレイ装置３００Ｂの表示領域Ｗ１０から表示領域Ｗ２０に貼り付けられる（ステップＳ１２１２）。
【０１４０】
［１４．第１４実施形態］
続いて、第１４実施形態について説明する。第１４実施形態は、第１実施形態の機能及び構成は同一であるが、ペンに保存されたオブジェクトデータを利用してテスト用紙を作成する実施形態である。
【０１４１】
図２９は、第１実施形態における図６を置き換えた図である。なお、同一の処理には同一の符号を付すことにより、説明を省略する。
【０１４２】
本実施形態では、予め作成／記憶されていたコンテンツデータを読み出す（ステップＳ２００２）。そして、当該コンテンツデータにより、保存されたオブジェクトデータを貼り付けることにより（ステップＳ２００〜Ｓ２１４）、コンテンツデータを作成したり、編集したりすることが可能となる。
【０１４３】
これらのオブジェクトデータは、ステップＳ２００〜Ｓ２１２が繰り返し実行されることにより、複数のオブジェクトデータを貼り付けることも可能である。また、コンテンツデータは、通常の編集操作（例えば、ファイルからの図形貼り付け操作や、テキスト編集操作）が可能なことは勿論である。
【０１４４】
総ての編集処理が終了すると、最後にコンテンツデータを保存することになる（ステップＳ２００４）。
【０１４５】
図３０は、第１４実施形態に係る表示システムの動作として、タッチパネルディスプレイ装置に表示される操作画面の一例である。領域Ｒ１２０にコンテンツデータが表示されており、オブジェクトデータが領域Ｒ１１０にサムネイル表示されている。
【０１４６】
サムネイル表示は、利用者によりペン１００によって領域Ｒ１００に表示されている「ペースト」ボタンがタッチ（選択）されることにより読み出される。なお、予めオブジェクトデータがサムネイル表示されていても良い。
【０１４７】
ここで、オブジェクトデータが選択され、コンテンツデータにペーストされた操作画面の一例が図３１である。例えば、領域Ｒ１１０に表示されているオブジェクトデータＲ１３０をペン１００で選択し、Ｒ１３２方向にドラッグして所望する表示領域に移動させる。例えば、コンテンツデータの中の領域Ｒ１３５に移動させることにより、当該箇所にオブジェクトが表示される。
【０１４８】
ここで、オブジェクトデータの位置は、座標から特定されても良いし、行・列の位置（コンテンツデータの文字位置）から特定されてもよい。
【０１４９】
このように、本実施形態によれば、表示されたコンテンツデータにオブジェクトデータを容易に貼り付けることが可能となる。すなわち、保存されたオブジェクトデータの中から、オブジェクトデータを選択し、選択されたオブジェクトデータを利用して容易にコンテンツデータの編集が可能となる。
【０１５０】
［１５．第１５実施形態］
続いて、第１５実施形態について説明する。第１５実施形態は、例えばコンテンツデータにオブジェクトデータを貼り付けたりする際に、複数のペンを利用した場合についての連携操作について説明する。
【０１５１】
例えば、図３２は、ペン１００を利用して、領域Ｒ２１０に表示されているオブジェクトデータを領域Ｒ２２０に表示されているコンテンツデータに貼り付けている状態を示す図である。この場合、例えば、領域Ｒ２１２に表示されたオブジェクトデータを、方向Ｒ２１４にドラッグすることにより、コンテンツデータに容易にオブジェクトデータを貼り付けることが可能となる。
【０１５２】
このとき、他に保存されているオブジェクトデータを読み出して、同じコンテンツデータに貼り付けることが可能である。例えば、図３３は、図３２と異なるペンであるペン１００ａに対応して保存されているオブジェクトデータが領域Ｒ２３０に表示されている。例えば、領域Ｒ２３２に表示されているオブジェクトデータを、方向Ｒ２３４にドラッグし、領域Ｒ２２０に表示されているオブジェクトデータに貼り付けることが可能となる。すなわち、図３２で表示されている同じコンテンツデータにオブジェクトが貼り付けられることとなる。
【０１５３】
また、図３４は、こんどは領域Ｒ２２０に表示されているコンテンツデータに含まれているオブジェクトデータを、更に異なるペン１００ｂに対応づけて保存している。
【０１５４】
すなわち、ペンにコピー操作で記憶させるオブジェクトデータは、対応するペンのオブジェクトデータだけでなく、異なるペンについても記憶させることが可能である。これにより、例えば、先生がそれぞれ保有するペンから表示装置（サーバ）に、オブジェクトデータを記憶させることが可能となり、また、記憶されたオブジェクトデータを呼び出すことが可能となる。
【０１５５】
また、これらの呼び出されたオブジェクトデータを、更に別のペンにコピー操作で記憶させることが可能となり、複数のペンでの連携が可能となる。
【０１５６】
ここで、各ペンについては、属性情報（例えば、ペンの識別情報）に基づき、貼り付け時のオブジェクトデータに表示制限を行ったり、ドラッグ・ドロップの操作の制限を行ったりすることも可能である。
【０１５７】
これにより、例えば先生と生徒が利用する場面においてか、管理権限により、利用出来るオブジェクトデータに制限を付与することが可能となり、オブジェクトデータの損傷等を防止したり、秘匿性を付与したりすることが可能となる。
【０１５８】
また、コンテンツデータと併せて属性情報を記憶させることにより、コンテンツデータに対しても改竄防止や、損傷等の防止を施すことが可能となる。
【０１５９】
さらに、オブジェクトデータの属性情報に基づき、コピー制限等を付与することも可能である。これにより、例えば複数のペンがコピー出来るオブジェクトを制限するといったことが可能となり、著作権保護等を実現することができるようになる。
【０１６０】
［１６．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１６１】
また、上述した実施形態は、説明した以外にも、矛盾のない範囲において適宜組み合わせて実行しても良いことは勿論である。
【０１６２】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１６３】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１６４】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１６５】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１６６】
１００  …  ペン
１１０  …  制御部
１２０  …  記憶部
１３０  …  通信部
１４０  …  コピーボタン
１４２  …  ペーストボタン
２００  …  制御装置
２００Ａ  …  制御装置（第１の制御装置）
２００Ｂ  …  制御装置（第２の制御装置）
２１０  …  制御部
２２０  …  記憶部
２３０  …  通信部
３００  …  タッチパネルディスプレイ装置（表示装置）
３００Ａ  …  タッチパネルディスプレイ装置（表示装置）
３００Ｂ  …  タッチパネルディスプレイ装置（表示装置）
３１０  …  表示部
３２０  …  入力検知部
３３０  …  コピーボタン
３３２  …  ペーストボタン
４００  …  サーバ
４１０  …  制御部
４２０  …  記憶部
４３０  …  通信部
Ａ１０、Ａ２０  …  属性データ
Ｃｃ  …  コピーコマンド
Ｃｐ  …  ペーストコマンド
Ｄ１０、Ｄ１２、Ｄ２０、Ｄ２２  …  オブジェクトデータ
Ｄ６０  …  オブジェクトデータ
ＲＡ、ＲＢ  …  教室
Ｗ２  …  表示領域
Ｗ１０  …  表示領域（第１の表示領域）
Ｗ２０  …  表示領域（第２の表示領域）
【図１】
2017215945.tif 000003
【図２】
2017215945.tif 000004
【図３】
2017215945.tif 000005
【図４】
2017215945.tif 000006
【図５】
2017215945.tif 000007
【図６】
2017215945.tif 000008
【図７】
2017215945.tif 000009
【図８】
2017215945.tif 000010
【図９】
2017215945.tif 000011
【図１０】
2017215945.tif 000012
【図１１】
2017215945.tif 000013
【図１２】
2017215945.tif 000014
【図１３】
2017215945.tif 000015
【図１４】
2017215945.tif 000016
【図１５】
2017215945.tif 000017
【図１６】
2017215945.tif 000018
【図１７】
2017215945.tif 000019
【図１８】
2017215945.tif 000020
【図１９】
2017215945.tif 000021
【図２０】
2017215945.tif 000022
【図２１】
2017215945.tif 000023
【図２２】
2017215945.tif 000024
【図２３】
2017215945.tif 000025
【図２４】
2017215945.tif 000026
【図２５】
2017215945.tif 000027
【図２６】
2017215945.tif 000028
【図２７】
2017215945.tif 000029
【図２８】
2017215945.tif 000030
【図２９】
2017215945.tif 000031
【図３０】
2017215945.tif 000032
【図３１】
2017215945.tif 000033
【図３２】
2017215945.tif 000034
【図３３】
2017215945.tif 000035
【図３４】
2017215945.tif 000036